【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
血液の特性を確定するために血管を有する患者に導入装置と共に使用するためのプローブであって、
近位端及び遠位端を有し、かつ該遠位端が患者の血管に挿入されるようになったカニューレと、
前記カニューレが血液中に配置された時に電気信号を供給するために該カニューレの前記遠位端に配置されたガスセンサアセンブリと、
前記カニューレの前記近位端に設けられたコネクタと、
を含み、
それによって前記カニューレの前記遠位端は、該カニューレを血管に挿入する時に前記導入装置を通って摺動可能に移動するようになっており、
前記カニューレ及びコネクタは、該カニューレの前記遠位端が血管に挿入された後に、前記導入装置を該カニューレ及び該コネクタの前記近位端から摺動させて外せる大きさを有する、
ことを特徴とするプローブ。
【請求項２】
前記導入装置と組み合わせたことを特徴とする請求項１に記載のプローブ。
【請求項３】
前記導入装置は、針であることを特徴とする請求項１に記載のプローブ。
【請求項４】
前記コネクタは、円筒形部分を有し、かつ該円筒形部分の少なくとも一部分の周りに延びる電気接点を有し、導体が、該電気接点から前記ガスセンサアセンブリまで延びていることを特徴とする請求項１に記載のプローブ。
【請求項５】
前記電気接点は、前記コネクタに実質的に滑らかな円筒形表面をもたらすために前記円筒形部分と同じ高さに設置されていることを特徴とする請求項４に記載のプローブ。
【請求項６】
前記カニューレの少なくとも一部分を通って延びる可撓性回路、
を更に含み、
前記可撓性回路は、近位及び遠位部分を有し、第１及び第２の電極が、該遠位部分上に形成され、第１及び第２の導体が、該近位部分から該第１及び第２の電極まで延びており、該第１及び第２の電極及び該第１及び第２の導体は、前記ガスセンサアセンブリの少なくとも一部を形成している、
ことを特徴とする請求項１に記載のプローブ。
【請求項７】
前記第１及び第２の電極の付近で前記カニューレの前記遠位端に配置された電解質溶液を更に含むことを特徴とする請求項６に記載のプローブ。
【請求項８】
前記カニューレには、前記第１及び第２の電極が位置する密封チャンバが設けられ、前記電解質溶液は、該密封チャンバに配置されていることを特徴とする請求項７に記載のプローブ。
【請求項９】
前記カニューレには、第３及び第４の電極が位置する付加的な密封チャンバが設けられ、前記電解質溶液は、該付加的な密封チャンバに配置されていることを特徴とする請求項８に記載のプローブ。
【請求項１０】
前記可撓性回路の前記近位部分の少なくとも一部は、前記コネクタとして働いていることを特徴とする請求項６に記載のプローブ。
【請求項１１】
前記可撓性回路は、露出面を有し、前記第１及び第２の電極は、それぞれ該露出面上に形成されたパッドであることを特徴とする請求項６に記載のプローブ。
【請求項１２】
前記可撓性回路を前記カニューレ内に固定するために該カニューレ内に配置された接着剤を更に含むことを特徴とする請求項６に記載のプローブ。
【請求項１３】
前記カニューレは、前記ガスセンサアセンブリの付近でガス透過性であることを特徴とする請求項１に記載のプローブ。
【請求項１４】
前記カニューレ全体が、ガス透過性材料で作られていることを特徴とする請求項１３に記載のプローブ。
【請求項１５】
前記ガス透過性材料は、ポリメチルペンテンであることを特徴とする請求項１４に記載のプローブ。
【請求項１６】
前記コネクタは、円筒形部分と該円筒形部分の少なくとも一部分の周りに延びる電気接点とを有し、導体が、前記ガスセンサアセンブリを該電気接点と電気的に結合するためにプローブを通って延びており、該電気接点は、該コネクタに実質的に滑らかな円筒形表面をもたらすために該円筒形部分と同じ高さに設置されていることを特徴とする請求項１に記載のプローブ。
【請求項１７】
前記円筒形部分の少なくとも一部分の周りに延び、かつ最初に指定した電気接点から離間した付加的な電気接点を更に含むことを特徴とする請求項１６に記載のプローブ。
【手続補正２】
【補正対象書類名】明細書
【補正対象項目名】００７８
【補正方法】変更
【補正の内容】
【００７８】
このようなプローブのカニューレは、第１及び第２の電極の近くでガス透過性にすることができる。カニューレ全体をガス透過性材料で形成することができる。このようなプローブのガス透過性材料は、ポリメチルペンテンとすることができる。このようなプローブの可撓性回路は、第１及び第２の絶縁材料の層を含むことができ、第１及び第２の導体が、第１及び第２の層の間に沿って延びている。このような第１及び第２の層の各々は、露出面を有することができ、第１及び第２の電極の各々は、第１及び第２の層の露出面の一方に形成されたパッドである。このようなプローブの可撓性回路は、少なくとも１つの絶縁層を含むことができ、第１及び第２の接触パッドが、可撓性回路の近位部分で少なくとも１つの絶縁材料の層に形成されてそれぞれ第１及び第２の導体に結合され、第１及び第２の接触パッドは、患者の外部の可撓性回路との電気通信を可能にする。カニューレの遠位端は、カニューレを血管に挿入する時に導入装置を通って摺動可能に移動するように適応させることができ、カニューレ及び可撓性回路は、カニューレの遠位端が血管に挿入された後に、導入装置を摺動させてカニューレ及び可撓性回路の近位端から外せるような大きさを有する。更に、このようなプローブは、可撓性回路をカニューレ内に固定するためにカニューレ内に配置された接着剤を含むことができる。このようなプローブのカニューレには、第１及び第２の電極を設置した密封チャンバを設けることができ、電解質溶液は、密封チャンバに配置される。このようなプローブのカニューレには、第３及び第４の電極を設置した付加的な密封チャンバを設けることができ、電解質溶液は、付加的な密封チャンバに配置される。
本発明は、様々な変更及び代替形態を受けるものであるが、その特定的な例を図面に示し、かつ本明細書で詳細に説明した。しかし、本発明は、開示した特定の形態又は方法に限定されず、むしろ本発明は、特許請求の範囲の精神及び範囲に該当する全ての変更、均等物、及び代替物を網羅するものであることを理解すべきである。
次に、本発明の好ましい態様を示す。
１．  血液の特性を確定するために血管を有する患者に使用するための器具であって、
小型ディスプレイモジュールと、
プローブと、
を含み、
前記プローブは、前記ディスプレイモジュールに結合された近位端と、患者の血管に挿入されるようになった遠位端とを有し、
前記遠位端は、前記プローブが血液中に配置された時に前記ディスプレイモジュールに電気信号を供給するためのセンサを含み、
前記プローブは、較正係数を有し、
前記ディスプレイモジュールは、前記電気信号を処理して読取値を提供するためのプロセッサと、前記較正係数を記憶するためのメモリとを有し、
前記プロセッサは、前記読取値の精度を向上させるために、前記電気信号の前記処理に関連した該プロセッサによる前記較正係数へのアクセスを可能にするために前記メモリに連結されている、
ことを特徴とする器具。
２．  前記ディスプレイモジュールを患者の手首に固定するために該ディスプレイモジュールに結合されたバンドを更に含むことを特徴とする上記１に記載の器具。
３．  前記センサは、ガスセンサ、酸素センサ、二酸化炭素センサ、ｐＨセンサ、及び温度センサから成る群から選択されることを特徴とする上記１に記載の器具。
４．  前記センサは、電解質溶液に配置された第１及び第２の電極を有するガスセンサアセンブリであることを特徴とする上記３に記載の器具。
５．  前記ディスプレイモジュールは、外部供給源から制御信号を無線で受信して血液特性を外部装置に無線で送信することを可能にするために前記プロセッサに連結した無線送受信回路を含むことを特徴とする上記１に記載の器具。
６．  前記メモリは、不揮発性メモリであることを特徴とする上記１に記載の器具。
７．  血液の特性を確定するために血管を有する患者に使用するための器具であって、
ディスプレイモジュールと、
患者の血管に挿入されるようになった遠位端を有し、かつ前記ディスプレイモジュールに結合された近位端を有するプローブと、
を含み、
前記プローブは、該プローブが血液中に配置された時に前記ディスプレイモジュールに電気信号を供給するための前記遠位端に取り付けられたガスセンサアセンブリを含み、
カニューレが、前記ガスセンサアセンブリの付近ではポリメチルペンテンで形成されている、
ことを特徴とする器具。
８．  カニューレ全体が、ポリメチルペンテンで作られていることを特徴とする上記７に記載のプローブ。
９．  前記カニューレは、前記ガスセンサアセンブリの周りに延びる環状窓を有することを特徴とする上記７に記載のプローブ。
１０．  前記ガスセンサアセンブリは、二酸化炭素電極を含むことを特徴とする上記７に記載のプローブ。
１１．  前記ガスセンサアセンブリは、酸素電極を含むことを特徴とする上記７に記載のプローブ。